(57)【要約】  センサ固定アッセンブリであって、構成部材（６）に固定するために設けられているセンサ保持部（３）を備えており、該センサ保持部（３）に少なくとも１つのセンサ（２）が固定されており、センサ保持部（３）は孔（７）を備えた少なくとも１つのフィンガ状の固定エレメント（４）を有しており、孔（７）内において拡開エレメント（８）が移動可能に内挿されており、固定エレメント（４）は拡開エレメント（８）の摺動により少なくとも部分的に拡開されるか又は拡介され得る。
2011510857.tif 000002
【特許請求の範囲】
【請求項１】
センサ固定アッセンブリであって、構成部材（６）に固定するために設けられているセンサ保持部（３）を備えており、該センサ保持部（３）に少なくとも１つのセンサ（２）が固定されている、センサ固定アッセンブリにおいて、
センサ保持部（３）は孔（７）を備えた少なくとも１つのフィンガ状の固定エレメント（４）を有しており、孔（７）内に拡開エレメント（８）が摺動可能に内挿されており、固定エレメント（４）は拡開エレメント（８）の摺動により少なくとも部分的に拡開されることを特徴とする、センサ固定アッセンブリ。
【請求項２】
貫通している開口（５）が構成部材（６）に設けられており、開口（５）を貫通して固定エレメント（４）は延在していることを特徴とする、請求項１記載のセンサ固定アッセンブリ。
【請求項３】
拡開された固定エレメント（４）は開口（５）を画成している構成部材（６）の壁部を押圧して、構成部材（６）に摩擦接続により固定されていることを特徴とする、請求項２記載のセンサ固定アッセンブリ。
【請求項４】
拡開された固定エレメント（４）は開口（５）の外側及び開口（５）の長手方向（１１）に対して垂直に、開口（５）の端面側の縁部を越えて突出して、構成部材（６）に形状接続により固定されていることを特徴とする、請求項２又は３記載のセンサ固定アッセンブリ。
【請求項５】
拡開された固定エレメント（４）は開口（５）の外側及び開口（５）の長手方向（１１）に対して垂直に、開口（５）の両側で開口（５）の端面側の縁部を越えて突出して、構成部材（６）に形状接続により固定されていることを特徴とする、請求項２又は３記載のセンサ固定アッセンブリ。
【請求項６】
開口（５）を画成する構成部材（６）の壁部に少なくとも１つの引込み部（２５）が設けられており、該引込み部（２５）に、拡開された固定エレメント（４）が係合することを特徴とする、請求項２から５までのいずれか一項記載のセンサ固定アッセンブリ。
【請求項７】
センサ保持部（３）は固定エレメント（４）に対して間隔をおいてストッパ（１９）を有しており、該ストッパ（１９）は構成部材（６）の表面に当接することを特徴とする、請求項２から６までのいずれか一項記載のセンサ固定アッセンブリ。
【請求項８】
センサ保持部（３）は固定エレメント（４）に対して間隔をおいて切欠き（２７）を有しており、該切欠き（２７）に構成部材（６）の突出部（２６）が係合することを特徴とする、請求項２から７までのいずれか一項記載のセンサ固定アッセンブリ。
【請求項９】
突出部（２６）は切欠き（２７）と共にスナップ結合を形成することを特徴とする、請求項８記載のセンサ固定アッセンブリ。
【請求項１０】
固定エレメント（４）は孔（７）内への拡開エレメント（８）の押入れにより拡開されるか又は拡開され得ることを特徴とする、請求項１から９までのいずれか一項記載のセンサ固定アッセンブリ。
【請求項１１】
拡開前に孔（７）は少なくとも１つの領域において孔（７）の長手方向（１１）に対して横方向に、拡開後に前記領域に位置する拡開エレメント（８）の部分より小さな幾何学的な寸法を有していることを特徴とする、請求項１から１０までのいずれか一項記載のセンサ固定アッセンブリ。
【請求項１２】
固定エレメント（４）の拡開された状態において拡開エレメント（８）は、固定エレメント（４）に係止されていることを特徴とする、請求項１から１１までのいずれか一項記載のセンサ固定アッセンブリ。
【請求項１３】
拡開エレメント（８）の外面は少なくとも１つの引込み部（９）を有しており、該引込み部（９）に孔（７）を画成する固定エレメント（４）の壁部に設けられている係止狭隘部（１２）が係合することを特徴とする、請求項１２記載のセンサ固定アッセンブリ。
【発明の詳細な説明】
【技術分野】
【０００１】
本発明はセンサ固定アッセンブリであって、構成部材に固定するために設けられているセンサ保持部を有しており、センサ保持部に少なくとも１つのセンサが固定されているか又は固定することができるセンサ固定アッセンブリに関する。
【０００２】
一般的にセンサは機械的な値を電気信号に変換する。このために、センサは質量体に対して適切に位置決めして位置固定する必要がある。このことは一般的に、センサが（例えば貼付け、クランプ、鋳造又は射出成形により）ケーシング内に収納されることにより行われる。ケーシングは後にシステム全体に固定される。またこのことは、例えば螺合、接着、溶接又はリベット留めにより行うこともできる。
【０００３】
ＤＥ１９８３１２４８Ｃ２において、車両のためのホイール懸架装置のためのセンサアッセンブリが公知になっている。旋回アームが車両ボディに旋回可能に支承されている。旋回アームと車両ボディとの相対位置を検出するためのセンサが車両ボディに定置に取り付けられており、旋回アームに機械的に連結されている。センサ固定式のセンサ保持部と、旋回アームを旋回可能に車両ボディに固定している旋回アームの旋回支承部とが、車両ボディにおいて共通の固定箇所に固定されている。
【０００４】
公知の固定方法の欠点は、例えば手間のかかる位置決めプロセス及び固定プロセス（溶接、接着等）又はセンサシステム内の、測定ミス又は損壊に繋がることがある機械的な歪み（Verspannung）応力の発生である。
【０００５】
本発明の目的は上記欠点を起点として、冒頭で述べた形式のセンサ固定アッセンブリを改良して、例えば構成部材といった周辺部材にセンサ保持部を、センサが大きな歪みに曝されることなく、簡単に位置決めすることができかつ位置固定することができるセンサ固定アッセンブリを提供することである。
【０００６】
上記目的は、請求項１に記載の本発明に係るセンサ固定アッセンブリによって解決される。本発明の有利な構成が従属請求項に記載されている。
【０００７】
特に自動車のための、本発明に係るセンサ固定アッセンブリは、構成部材に固定するために設けられているセンサ保持部を有している。センサ保持部には少なくとも１つのセンサが固定されているか又は固定することができる。センサ保持部は孔を備えたフィンガ状の固定エレメントを有している。孔内には拡開エレメントが摺動可能に内挿されており、固定エレメントは拡開エレメントの摺動により少なくとも部分的に拡開されるか又は拡開することができる。
【０００８】
固定エレメントが構成部材の開口内に挿入され、次いで拡開エレメントの摺動により拡開されると、固定エレメントを力接続により（kraftschluessig：摩擦による束縛）及び／又は形状接続により（formschluessig：形状による束縛）構成部材に固定することができる。センサ保持部は拡開前に位置決めすることができる。拡開後にセンサ保持部は構成部材に不動に固定されている。拡開により生じる固定エレメントにおける応力は、センサ保持部の他の部分へは伝達されないか又は単に小さな程度だけ伝達され、その結果、歪みはセンサ及びセンサ位置に影響を与えないか、又は単に無視することができる程度の小さな影響しか与えない。
【０００９】
有利には、センサ固定アッセンブリは、固定エレメントが挿入されている開口を備えた構成部材を有している。構成部材への固定エレメントの位置決め及び後続の固定は、上述のように行うことができる。構成部材における開口は一面側において画成されていてよく、例えば止り穴として構成されていてよい。しかしこのことは許容公差に乏しく、したがって開口の高価な製造を必要とする。したがって有利には、開口は、固定エレメントが貫通して延在している開口、特に貫通部である。位置決めのために、固定エレメントは拡開前に、有利には開口内において移動可能でありかつ回動可能である。これにより、構成部材の表面及び／又は開口の直径を許容公差に関して敏感にならずに製造することができるようになる。これにより構成部材の製造コストを減じることができる。特に、固定エレメントは最大で５つの自由度で開口内に位置決め可能であり、次いで第６の自由度で構成部材に位置固定することできる。第６の自由度は、通常、開口内への固定エレメントの導入の方向に一致する。最大５つの自由度は、例えば４つの並進的な自由度と、１つの回転的な自由度とを有している。第６の自由度は、特に並進的な自由度である。
【００１０】
改良形によれば、構成部材は自動車のホイール懸架構成部材である。特に、構成部材は、例えばトランスバースリンクといったホイールガイドリンクである。付加的又は択一的には、構成部材はボールジョイント及び／又はボールジョイントの一部分、例えばボールジョイントの閉鎖カバー又はボールジョイントケーシングを有しているか、又はボールジョイント及び／又はボールジョイントの一部分、例えばボールジョイントの閉鎖カバー又はボールジョイントケーシングにより構成されている。さらに、構成部材は、少なくとも１つのボールジョイントを有するホイールガイドリンクであってよい。センサは、例えばボールジョイントのボールピボットの、ホイールガイドリンク、閉鎖カバー及び／又はボールジョイントケーシングに対する相対的な位置を決定するために使用することができる。
【００１１】
センサ保持部を拡開された固定エレメントにより構成部材に固定する又は固定し得る複数の態様がある。まず、拡開された固定エレメントは開口を画成する構成部材の壁部を押圧し、これにより拡開された固定エレメントは構成部材において摩擦接続（reibschluessig：摩擦による束縛）により固定されている。付加的又は択一的には、拡開された固定エレメントは開口の外側及び開口の長手方向に対して垂直方向に、開口の端面側の縁部を越えて突出しており、これにより構成部材において形状接続により固定されていることが可能である。形状接続は、固定エレメントを軸線方向において構成部材の片側か又は両側において固定することができる。したがって有利な改良形によれば、拡開された固定エレメントは開口の外側及び開口の長手方向に対して垂直方向に、開口の両側において開口の端面側の縁部を越えて突出し、これにより構成部材において形状接続により固定されている。付加的又は択一的に、開口を画成する構成部材の壁部に、少なくとも１つの引込み部を設けることが可能である。引込み部内に拡開された固定エレメントが係合する。引込み部は特に環状に形成されている。
【００１２】
固定エレメントは円筒状に形成されていてよく、択一的には固定エレメントはまた、構成部材における開口に対応するそれぞれ別の幾何学的な形状を有していてよい。特に開口は固定エレメントのジオメトリに適合させられている。固定エレメントが横断面において円形状又は楕円形である場合、有利には開口は横断面において円形状又は楕円形である。固定エレメントが横断面において三角形又は多角形であると、有利には開口は横断面において三角形又は多角形である。
【００１３】
センサ保持部は、特にセンサ保持部から離れるように固定エレメントと同じ方向に延在しているストッパを有していてよい。有利には、ストッパは固定エレメントに対して間隔をおいて位置決めされており、組み付けられた状態においては、特に構成部材の表面に接触している。これにより、ストッパにより１つの自由度が規定されるか、又は規定することができるのでセンサ保持部の位置決めは容易になる。
【００１４】
さらに別の改良形によれば、センサ保持部は固定エレメントに対して間隔をおいて構成部材の突出部に固定されていてよい。突出部は、例えば構成部材に固定されているか又は構成部材と一体に形成されている。このために特にセンサ保持部は、構成部材の突出部が係合するか又は係合することができる切欠きを有している。突出部とセンサ保持部若しくは切欠きとは、有利にはスナップ結合を共に形成する。センサ保持部は、特に回動可能に突出部に支承されているので、センサ保持部の位置決めは、構成部材に対して相対的に可能である。しかし、センサ保持部の突出部を中心とした回動は、固定エレメントが開口を画成する構成部材の壁部に衝突していることにより限定され得る。
【００１５】
有利には構成部材は、突出部を有するボールジョイントを備えたホイールガイドリンクである。特にボールジョイントは閉鎖カバーを有している。閉鎖カバーは突出部によって形成されているか又は突出部を有している。閉鎖カバーは有利にはボールジョイントのケーシングに固定されている。ボールジョイントケーシングはホイールガイドリンクに不動に結合されているか、又はホイールガイドリンクに一体に形成されている。開口は、閉鎖カバー、ボールジョイントケーシング又はホイールガイドリンクに設けられていてよい。
【００１６】
拡開前に拡開エレメントは有利には固定エレメントから突出しているので、摺動のために簡単に接近可能である。さらに固定エレメントは有利には拡開エレメントの孔への挿入により拡開される。拡開後に、拡開エレメントは完全に固定エレメントに配置され得るか又は部分的に、例えばヘッドが固定エレメントから突出してよい。このことは、センサ保持部を再び構成部材から解除することができるためには有利である。
【００１７】
拡開前に、孔は孔の長手方向に対して横方向に少なくなくとも１つの領域に、有利には拡開後の上記領域に位置する拡開エレメントの部分よりも小さな幾何学的な寸法を有している。このことは、例えば孔を画成する固定エレメントの壁部が、孔を狭める少なくとも１つの狭隘部を有していることにより達成することができる。その結果、拡開エレメントは孔内への挿入時に、少なくとも１つの狭隘部を拡げる。このことは固定エレメントの拡開に繋がる。したがって有利には、少なくとも１つの狭隘部の内のりは拡開前においては、拡開後に拡げられた狭隘部に位置する拡開エレメントの部分の幾何学的な外側寸法、特に外径よりも小さい。特に狭隘部は、孔を画成する固定エレメントの壁部の１つ又は複数の湾曲された領域により形成されている。有利には、孔を画成する固定エレメントの壁部の厚さは、少なくとも１つの狭隘部の領域において高められている。
【００１８】
拡開エレメントは固定エレメントの拡開された状態において、有利には固定エレメントによって係止されている。このために特に拡開エレメントは外面に少なくとも１つの引込み部を有している。引込み部に、孔を画成する固定エレメントの壁部に設けられている係止狭隘部が係合するか又は係合することができる。係止狭隘部は、例えば孔を画成する固定エレメントの壁部に設けられている少なくとも１つの係止突出部を有している。引込み部は有利には拡開エレメントの端部領域に設けられている。拡開エレメントの端部領域が先行して、拡開エレメントは孔内に挿入される。特に、引込み部はセンサ保持部寄りの拡開エレメントの端部領域に設けられている。
【００１９】
孔は有利には固定エレメントの長手方向に延在している。さらに孔は固定エレメントの長手方向に対して垂直に少なくとも部分的に固定エレメントを通って延在していてよい。したがって、孔の少なくとも一部分を、拡開のために必要な内側ジオメトリを持って簡単に、例えば打抜き成形により形成することが可能である。
【００２０】
センサ保持部は、有利には少なくとも１つのセンサのためのケーシングを形成し、その結果、センサはセンサ保持部により環境からの影響から保護されている。
【００２１】
有利には、センサ保持部はプラスチックから成っている。さらに固定エレメント及び／又は拡開エレメントは、有利にはプラスチックから成っている。また択一的にはセンサ保持部、固定エレメント及び／又は拡開エレメントのために、例えば金属といった他の原材料を使用することもできる。構成部材は、有利には金属、プラスチック、又はこれらの原材料の組合せから成っている。
【００２２】
したがって、センサ保持部及び／又は少なくとも１つのセンサの位置固定及び位置決めは、有利には、例えば貫通部として形成されている、周辺部材（構成部材）の開口内に挿入されるフィンガ状のエレメント（固定エレメント）により行われる。フィンガ部材（固定エレメント）は、例えば円柱状に構成されていてよい。またフィンガ部材は、周辺部材（構成部材）の開口に対応する他の任意の幾何学的なあらゆる形状を有することもできる。フィンガ部材内に位置する拡開エレメントの移動により、フィンガ部材の部分領域は幾何学的に変形させられ、その結果、フィンガ部材と開口との間には、形状接続及び／又は力接続が形成される。これにより特にセンサケーシングとして形成されているセンサ保持部は構成に基づき、最大で５つの自由度において位置決めすることができ、続いて６つの自由度において位置固定することができる。位置決めにおける第６の自由度は、通常、フィンガ部材の開口への導入方向である。導入方向における位置決めは、開口に対して定置に配置されていてもよいストッパにより行うことができる。
【００２３】
後続の塑性変形により行われる束縛による、センサを周辺部材へ小さな力で組み付けること又はほぼ力を必要とせずに組み付けることにより、センサを機械的にストレスのない状態において周辺部材に位置固定することが可能である。特に有利には、フィンガ部材と拡開エレメントとはプラスチックから成っている。またこれに対して基本的に金属製の原材料も適している。付加的に拡開エレメントが挿入経路の終端において機械的に係止されると、特に堅固な結合が達成される。センサ固定アッセンブリを相対回動不能のために付加的な固定機能を備えて使用することも可能である。この構成において、センサ保持部若しくはセンサは、例えば周辺部材の円柱状の部材（突出部）において、所定の回動自由度を持って、例えばクリップ留めにより固定される。フィンガ部材はこの構成において相対回動不能部材として働く。相対回動不能部材は円柱状の部材から離された点において、周辺部材の開口内に侵入しそこで位置固定される。
【図面の簡単な説明】
【００２４】
【図１】拡開前の本発明の第１の実施の形態に係るセンサ固定アッセンブリの部分断面図である。
【図２】拡開後の第１の実施の形態の部分断面図である。
【図３】第１の実施の形態を下から見た図である。
【図４】拡開後の本発明の第２の実施の形態に係るセンサ固定アッセンブリの部分断面図である。
【図５】本発明の第３の実施の形態に係るセンサ固定アッセンブリを下から見た図である。
【図６】本発明の第４の実施の形態に係るセンサ固定アッセンブリの断面図である。
【図７】本発明の第５の実施の形態に係るセンサ固定アッセンブリの部分断面図である。
【００２５】
以下に、図面に記載の有利な実施の形態に基づいて本発明を説明する。
【００２６】
図１には、本発明の第１の実施の形態に係るセンサ固定アッセンブリ１の側面図が明示されている。センサ２はセンサ保持部３に固定されている。センサ保持部３はフィンガ状の固定エレメント４を有しており、固定エレメント４は、断面にして示されている構成部材６の貫通部５を貫通して延在している。固定エレメント４に孔７が設けられていて、孔７内に拡開エレメント８が内挿されている。拡開エレメント８はほぼ円柱状に形成されており、拡開エレメント８の孔７内に内挿されている端部領域に環状の引込み部９を有している。引込み部９に孔７を画成する固定エレメント４の壁部の係止狭隘部１０が係合し、その結果、拡開エレメント８は固定エレメント４に固定されている。孔７の長手方向１１は同時に固定エレメント４及び貫通部５の長手方向も形成する。さらに、拡開エレメント８を長手方向１１に孔７内に押し入れることができる。孔７を画成する固定エレメント４の壁部は、拡開エレメント８の押し入れられた状態において引込み部９に係合する（図２参照）他の係止狭隘部１２を有している。２つの係止狭隘部１０，１２は、本実施の形態においては、それぞれ一対の突出部を有しており、これらの突出部は孔７を画成する固定エレメント４の壁部に設けられている。
【００２７】
２つの係止狭隘部１０，１２の間において孔７を画成する壁部は孔７内に湾曲されている。その結果、湾入部の領域において孔７は長手方向１１に対して垂直方向に、拡開エレメント８の円柱状の領域３１の外径よりも小さい内径を有している。したがって、孔７を画成している壁部は２つの係止狭隘部１０，１２の間に湾入部により形成された付加的な狭隘部１３を有している。付加的な狭隘部１３は拡開エレメント８の押入れ時に拡げられる（図２参照）。
【００２８】
固定エレメント４の自由端部には端面側のカバー１４が設けられている。カバー１４を通じて拡開エレメント８は延在し、固定エレメント４の外側に位置する拡開エレメント８の自由端部にヘッド１５を有する。ヘッド１５の直径は円柱状の領域３１の直径よりも大きい。ヘッド１５はストッパを形成し、ストッパは、ヘッド１５がカバー１４に衝突することにより固定エレメント４内への拡開エレメント８の押入りを制限する。
【００２９】
図２には、拡開エレメント８が固定エレメント４内に押し入れられていて、ヘッド１５がカバー１４に当接している状態における、センサ固定アッセンブリ１の側面図が明示されている。拡開エレメント８の押入れ前に固定エレメント４は狭隘部１３の領域において長手方向１１に対して横方向に、拡開エレメント８の円柱状の領域３１よりも小さな幾何学的な寸法を有していることにより、固定エレメント４は図２においては拡開されているか若しくは拡げられている。その結果、貫通部５に位置する固定エレメント４の外面の部分は、貫通部５を画成する構成部材６の壁部を押圧する。これにより、固定エレメント４と、断面図で示されている構成部材６との間に摩擦接続による若しくは力接続による結合が形成される。固定エレメント４によって構成部材６に加えられる圧力は矢印１６で示されている。さらに、貫通部５の外側における固定エレメント４の拡がりにより、長手方向１１に対して垂直方向に貫通部５の端面側の縁部を越えて突出している膨出部１７，１８が形成される。これにより、固定エレメント４は付加的に長手方向１１において形状接続式に構成部材６に固定され、とりわけ長手方向１１の２つの方向付けに関して固定される。係止狭隘部１２も拡開エレメント８の引込み部９に係合するので、拡開エレメント８は形状接続式に固定エレメント４に固定されている。
【００３０】
図３には、センサ固定アッセンブリ１を下から見た図が明示されている。構成部材６は単に部分的にかつ概略的に図示されているだけである。図３には、拡開エレメント８の押入れ前の固定エレメント４の状態が示されており、その結果、固定エレメント４と、貫通部５を画成する壁部（鎖線により図示）との間に、センサ保持部３の位置決めのための遊びが設けられている。センサ保持部３はストッパ１９を有している。ストッパ１９は組付けられた状態において構成部材６に当接している（図１参照）ので、位置決め補助として働く。ストッパ１９はセンサ保持部３から離れるようにして、固定エレメント４と同じ方向に延在しており、固定エレメント４よりも短く設計されている。さらに、センサ保持部３は（第２の）フィンガ部材２０を有しており、フィンガ部材２０は構成部材６に設けられた、長孔として形成されている第２の貫通部２１に係合する。フィンガ２０と貫通部２１との間には遊びが設けられており、センサ保持部３が矢印２２，２３の方向に移動可能である。さらに、センサ保持部３は矢印２４の方向に長手方向軸線１１を中心に旋回可能である。
【００３１】
フィンガ部材２０はほぼ方形の横断面を有しているので、固定エレメント４（第１のフィンガ部材）の円形の横断面とは異なる。それ以外では、またフィンガ部材２０は固定エレメント４に合致して構成されていてよい。しかし図３においてフィンガ部材２０は拡開することのない単なるピンを形成する。第１の実施の形態に対する択一的な実施の形態によれば、ストッパ１９を省略することができる。
【００３２】
図４には、本発明の第２の実施の形態に係るセンサ固定アッセンブリ１の側面図が明示されている。第１の実施の形態に対して、同様又は同一の特徴を有する部材には、第１の実施の形態と同じ符号を付してある。第１の実施の形態とは異なり、貫通部５に環状溝２５が加工されている。環状溝２５に拡開された固定エレメント４の外面が係合するので、固定エレメント４は断面にして示しされている構成部材６に形状接続式に固定される。第１の実施の形態による膨出部１７，１８を省略することができるか、又は小さく構成することができる。その理由は、構成部材６における固定エレメント４の軸線方向の位置固定が、第２の実施の形態によれば、有利には専ら又は特に形状接続を介して環状溝２５において行われるからである。この相違を除いて、第２の実施の形態のさらなる記載に関しては、第１の実施の形態の記載が参照される。第２の実施の形態の択一的な実施の形態によれば、ストッパ１９を省略することができる。
【００３３】
図５には、本発明の第３の実施の形態に係るセンサ固定アッセンブリ１を下から見た図が明示されている。第１の実施の形態に対して同様又は同一の特徴を有する部材には、第１の実施の形態と同じ符号を付してある。第１の実施の形態とは異なり、第３の実施の形態によれば固定エレメント４は横断面において三角形状であり、その結果、単に示唆されている構成部材６における貫通部５も三角形の横断面を有している。さらに、特にフィンガ部材２０と貫通部２１とが省略されている。最終的には、拡開エレメント８は三角形の横断面を有していてもよく、また、第１の実施の形態に対して同一の拡開エレメント８を使用することも可能である。これらの相違点を除いて、第３の実施の形態のさらなる記載に関しては、第１の実施の形態の記載が参照される。第３の実施の形態の択一的な実施の形態によれば、ストッパ１９を省略することができる。
【００３４】
図６には、本発明の第４の実施の形態に係るセンサ固定アッセンブリ１の断面図が明示されている。第１の実施の形態に対して同様又は同一の特徴を有する部材には、第１の実施の形態と同じ符号を付してある。第１の実施の形態とは異なり、構成部材６に円柱状の突出部２６が設けられている。円柱状の突出部２６はセンサ保持部３に設けられている切欠き２７に係合し、スナップ結合によりセンサ保持部３に固定されている。スナップ結合の形成のために、突出部２６の、構成部材６とは反対側の端部は半径方向の外側肩部２８を有しており、外側肩部２８は保持部３に設けられているスナップフック２９によって後方より把持される。センサ保持部３は突出部２６の長手方向軸線３０を中心に回動可能に突出部２６に支承されている。センサ保持部３の長手方向軸線３０を中心とした回動は、固定エレメント４が拡げられていない状態において貫通部５に対して有している遊びにより制限されている。ストッパ１９、フィンガ部材２０及び貫通部２１を省略することができる。これらの相違点を除いて、第４の実施の形態のさらなる記載に関しては、第１の実施の形態の記載が参照される。
【００３５】
図７には、本発明の第５の実施の形態に係る固定アッセンブリ１の部分的な断面図が明示されている。上記実施の形態に対して同様又は同一の特徴を有する部材には、上記実施の形態と同じ符号を付してある。第５の実施の形態は第４の実施の形態に変更を加えたものであり、突出部２６が別体の部材として形成されており、構成部材６に形状接続式に固定されている。構成部材６の図示の端部はボールジョイント３３のボールジョイントケーシング３２を有している。突出部２６は、ボールジョイントケーシング３２において回動可能及び旋回可能に支承されているボールピボット３４を有するボールジョイント３３の閉鎖カバーを形成する。さらに、ボールピボット３４とボールジョイントケーシング３２とに密に当接しているシールベローズ３５が設けられている。センサ２は本実施の形態においては、ボールピボット３４の位置を構成部材６に対して相対的に検出するために働く。構成部材６は特に自動車のためのホイールガイドリンクを形成する。
【００３６】
突出部２６は軸線３０に対して回転対称的なボディである。ボディにセンサ保持部３が軸線３０を中心に旋回可能に支承されている。図７には固定エレメント４の拡開された状態が示されており、センサ保持部３の旋回運動が拡開により固定された固定エレメント４によりブロックされている。開口５は貫通部５として形成されており、ボールジョイントケーシング３２に対して間隔をおいて設けられている。第５の実施の形態のさらなる記載については、第１及び第６の実施の形態の記載が参照される。
【符号の説明】
【００３７】
１  センサ固定アッセンブリ、  ２  センサ、  ３  センサ保持部、  ４  固定エレメント、  ５  貫通部／構成部材における開口、  ６  構成部材、  ７  固定エレメントにおける孔、  ８  拡開エレメント、  ９  引込み部、  １０  係止狭隘部、  １１  孔の長手方向、  １２  係止狭隘部、  １３  狭隘部、  １４  固定エレメントのカバー、  １５  拡開エレメントのヘッド、  １６  固定エレメントの構成部材への圧力、  １７  膨出部／固定エレメントの変形部、  １８  膨出部／固定エレメントの変形部、  １９  センサ保持部におけるストッパ、  ２０  センサ保持部におけるフィンガ、  ２１  構成部材における貫通部、  ２２  矢印／位置決め、  ２３  矢印／位置決め、  ２４  矢印／位置決め、  ２５  環状溝／貫通部における引込み部、  ２６  構成部材における突出部、  ２７  センサ保持部における切欠き、  ２８  突出部における外側肩部、  ２９  センサ保持部におけるスナップフック、  ３０  突出部の長手方向軸線、  ３１  拡開エレメントの長手方向軸線、  ３２  ボールジョイントケーシング、  ３３  ボールジョイント、  ３４  ボールピボット、  ３５  シールベローズ
【図１】
2011510857.tif 000003
【図２】
2011510857.tif 000004
【図３】
2011510857.tif 000005
【図４】
2011510857.tif 000006
【図５】
2011510857.tif 000007
【図６】
2011510857.tif 000008
【図７】
2011510857.tif 000009
【国際調査報告】
2011510857.tif 000010
2011510857.tif 000011
2011510857.tif 000012
2011510857.tif 000013